(57)【要約】【課題】ユーザーが不在時等でも訪問者があったことをリモコンの表示部で確認ができる給湯機を提供する。【解決手段】訪問者が玄関インターホン４の操作部１０を押したときに玄関インターホン４の撮影部９で訪問者を撮影し、撮影した映像データを記憶する記憶部１１を給湯機１に備え、記憶部１１で記憶している映像データを台所リモコン２や浴室リモコン３で再生できるようにする。【選択図】図１
2005265366.tif 000002
【特許請求の範囲】
【請求項１】
記憶部を設けた給湯機と、撮影部と操作部を設けた玄関インターホンと、前記玄関インターホンの撮影部で撮影された映像や前記給湯機の制御情報を表示する表示部および前記給湯機の操作や玄関インターホンとの通話時に操作する操作部を設けた台所リモコンと、前記台所リモコンと同様に前記玄関インターホンの撮影部で撮影された映像や前記給湯機の制御情報を表示する表示部および前記給湯機の操作や玄関インターホンとの通話時に操作する操作部を設けた浴室リモコンを備え、前記玄関インターホンの操作部が操作された場合に撮影部で撮影する映像データを前記給湯機の記憶部で記憶し、記憶した映像データを前記台所リモコンや浴室リモコンで再生できることを特徴とする給湯機。
【請求項２】
ネットワーク端子を設けた給湯機と、前記ネットワーク端子と接続される外部記憶装置と、撮影部と操作部を設けた玄関インターホンと、前記玄関インターホンの撮影部で撮影された映像や前記給湯機の制御情報を表示する表示部および前記給湯機の操作や玄関インターホンとの通話時に操作する操作部を設けた台所リモコンと、前記台所リモコンと同様に前記玄関インターホンの撮影部で撮影された映像や前記給湯機の制御情報を表示する表示部および前記給湯機の操作や玄関インターホンとの通話時に操作する操作部を設けた浴室リモコンを備え、前記玄関インターホンの操作部が操作された場合に撮影部で撮影する映像データを前記給湯機のネットワーク端子より出力し外部記憶装置で記憶し、また前記外部記憶装置で記憶している映像データを前記ネットワーク端子より入力することで前記台所リモコンや浴室リモコンで再生できることを特徴とする給湯機。
【請求項３】
ネットワーク端子を台所リモコン又は浴室リモコンに設けたことを特徴とする請求項２記載の給湯機。
【請求項４】
ネットワーク端子の代わりに映像出力端子を設けることで、玄関インターホンで撮影された映像をモニターテレビやビデオで録画、再生ができることを特徴とする請求項２記載の給湯機。
【請求項５】
台所リモコンと浴室リモコンに防犯スイッチを設けるとともに、玄関インターホンに人体検知手段を設け、前記台所リモコンや浴室リモコンで防犯スイッチが押されたときは、前記玄関インターホンの人体検知手段が人の検知を行った場合、玄関インターホンの撮影部で撮影を行い、撮影した映像の記憶、録画、再生ができる構成とした請求項１〜４のいずれか１項記載の給湯機。
【発明の詳細な説明】
【技術分野】
【０００１】
本発明は、台所リモコンや浴室リモコンを用いて玄関に設置された玄関インターホンと通話ができ、また玄関インターホンで撮影された映像を台所リモコンや浴室リモコンで確認できる給湯機に関するものである。
【背景技術】
【０００２】
従来、この種の給湯機は、撮影部と操作部を備えた玄関インターホンと、前記玄関インターホンで撮影された映像を表示する表示部および給湯機の制御や玄関インターホンとの通話時に操作する操作部を設けた台所リモコンと浴室リモコンとを備え、訪問者が玄関インターホンの操作部を押したときは台所リモコンでも浴室リモコンでも訪問者を映像で確認しながら通話ができるものがある（例えば、特許文献１参照）。
【０００３】
図６は、特許文献１に記載された従来の給湯機を示すものである。図６に示すように、給湯機１と、台所リモコン２と、前記台所リモコン２に設けられた表示部５と操作部６と、浴室リモコン３と、前記浴室リモコン３に設けられた表示部７と操作部８と、玄関インターホン４と、前記玄関インターホン４に設けられた撮影部９と操作部１０で構成されている。
【特許文献１】特開２００１−３３０９２号公報
【発明の開示】
【発明が解決しようとする課題】
【０００４】
しかしながら、前記従来の構成では、ユーザーが家に不在時に訪問者があった場合やユーザーが訪問者に気づかなかった場合等で、誰が訪問したかが分からないという課題を有していた。
【０００５】
本発明は、前記従来の課題を解決するもので、ユーザーが不在時等でも訪問者があったことをリモコンの表示部で確認ができる給湯機を提供することを目的とする。
【課題を解決するための手段】
【０００６】
前記従来の課題を解決するために、本発明の給湯機は、訪問者が玄関インターホンの操作部を押したときに玄関インターホンの撮影部で訪問者を撮影し、撮影した映像データを記憶する記憶部を給湯機に備え、記憶部で記憶している映像データを台所リモコンや浴室リモコンで再生できるものである。
【０００７】
これによって、ユーザーが不在時でも、訪問者が玄関インターホンの操作部を押すと訪問者の映像データが給湯機の記憶部で記憶されるので、ユーザーは帰宅後等に台所リモコンや浴室リモコンで不在時の訪問者の確認ができる。
【０００８】
また、給湯機に設けられた記憶部のかわりに、ネットワーク端子を給湯機に備え、前記ネットワーク端子と外部記憶装置を接続することで、訪問者が玄関インターホンの操作部を押したときに玄関インターホンの撮影部で訪問者を撮影し、撮影した映像データを外部記憶装置で記憶し、外部記憶装置で記憶している映像データを台所リモコンや浴室リモコンで再生できるものである。
【０００９】
これによって、給湯機に記憶部を設けなくても、パソコンのハードディスク等の外部記憶装置に訪問者の映像データが記憶されるので、安価でユーザーは台所リモコンや浴室リモコンで不在時の訪問者の確認ができる。
【００１０】
また、ネットワーク端子を給湯機ではなく台所リモコン又は浴室リモコンに備え、屋外ではなく屋内でネットワークの配線接続ができるものである。
【００１１】
これによって、ネットワーク配線の施工が容易になり、また雨水等の浸入の可能性がないためネットワーク配線の故障に対する信頼性が向上できる。
【００１２】
また、ネットワーク端子のかわりに映像出力端子を給湯機や台所リモコンや浴室リモコンに設けることで、訪問者が玄関インターホンの操作部を押したときに玄関インターホンの撮影部で訪問者を撮影し、撮影した映像データをモニターテレビやビデオで録画、再生できるものである。
【００１３】
これによって、給湯機に記憶部を設けなくても、ビデオに訪問者の映像が録画されるので、ユーザーはモニターテレビ、ビデオで不在時の訪問者の確認ができる。
【００１４】
また、台所リモコンと浴室リモコンに防犯スイッチを設け、玄関インターホンに人検知手段を設けることで、前記台所リモコンや浴室リモコンで防犯スイッチが押されて防犯モードに入った場合は玄関インターホンの人検知手段が人の検知を行うと撮影部で撮影を行い、撮影した映像及び映像データを給湯機内部の記憶部やパソコンのハードディスク等の外部記憶装置やビデオで記憶、録画ができ、台所リモコンや浴室リモコンやモニターテレビ、ビデオで再生ができるものである。
【００１５】
これによって、ユーザーは不在時の訪問者だけでなく、就寝中等に家に近づいた人物の確認ができる。
【発明の効果】
【００１６】
本発明の給湯機は、ユーザーが不在時でも、訪問者が玄関インターホンの操作部を押すと訪問者の映像データが給湯機の記憶部で記憶されるので、ユーザーは帰宅後等に台所リモコンや浴室リモコンで不在時の訪問者の確認ができる。
【００１７】
また、給湯機に記憶部を設けなくても、パソコンのハードディスク等の外部記憶装置に訪問者の映像データが記憶されるので、安価でユーザーは台所リモコンや浴室リモコンで不在時の訪問者の確認ができる。
【発明を実施するための最良の形態】
【００１８】
第１の発明は、記憶部を設けた給湯機と、撮影部と操作部を設けた玄関インターホンと、前記玄関インターホンの撮影部で撮影された映像や前記給湯機の制御情報を表示する表示部と前記給湯機の操作や玄関インターホンとの通話時に操作する操作部を設けた台所リモコンと、前記台所リモコンと同様に前記玄関インターホンの撮影部で撮影された映像や前記給湯機の制御情報を表示する表示部と前記給湯機の操作や玄関インターホンとの通話時に操作する操作部を設けた浴室リモコンにおいて、前記玄関インターホンの操作部が操作された場合に撮影部で撮影する映像データを前記給湯機の記憶部で記憶し、記憶した映像データを前記台所リモコンや浴室リモコンで再生できることを特徴とするもので、ユーザーが不在時でも、訪問者が玄関インターホンの操作部を押すと訪問者の映像データが給湯機の記憶部で記憶されるので、ユーザーは帰宅後等に台所リモコンや浴室リモコンで不在時の訪問者の確認ができる。
【００１９】
第２の発明は、ネットワーク端子を設けた給湯機と、前記ネットワーク端子と接続される外部記憶装置と、撮影部と操作部を設けた玄関インターホンと、前記玄関インターホンの撮影部で撮影された映像や前記給湯機の制御情報を表示する表示部および前記給湯機の操作や玄関インターホンとの通話時に操作する操作部を設けた台所リモコンと、前記台所リモコンと同様に前記玄関インターホンの撮影部で撮影された映像や前記給湯機の制御情報を表示する表示部および前記給湯機の操作や玄関インターホンとの通話時に操作する操作部を設けた浴室リモコンを備え、前記玄関インターホンの操作部が操作された場合に撮影部で撮影する映像データを前記給湯機のネットワーク端子より出力し外部記憶装置で記憶し、また前記外部記憶装置で記憶している映像データを前記ネットワーク端子より入力することで前記台所リモコンや浴室リモコンで再生できることを特徴とするもので、給湯機に記憶部を設けなくても、パソコンのハードディスク等の外部記憶装置に訪問者の映像データが記憶されるので、安価でユーザーは台所リモコンや浴室リモコンで不在時の訪問者の確認ができる。
【００２０】
第３の発明は、特に、第２の発明において、ネットワーク端子を給湯機ではなく、台所リモコン又は浴室リモコンに設けたことで、屋外ではなく屋内でネットワークの配線接続ができるため、ネットワーク配線の施工が容易になり、また雨水等の浸入の可能性がないためネットワーク配線の故障に対する信頼性が向上できる。
【００２１】
第４の発明は、特に、第２の発明において、ネットワーク端子のかわりに映像出力端子を設けることで、給湯機に記憶部を設けなくても、ビデオに訪問者の映像が録画されるのため、ユーザーはモニターテレビ、ビデオで不在時の訪問者の確認ができる。
【００２２】
第５の発明は、第１〜第４の発明において、前記台所リモコンと浴室リモコンに防犯スイッチを設け、また前記玄関インターホンに人検知手段を設けることで、前記台所リモコンや浴室リモコンで防犯スイッチが押されて防犯モードに入った場合は玄関インターホンの人検知手段が人の検知を行うと撮影部で撮影を行い、撮影した映像及び映像データを給湯機内部の記憶部やパソコンのハードディスク等の外部記憶装置やビデオで記憶、録画ができ、台所リモコンや浴室リモコンやモニターテレビ、ビデオで再生ができるため、ユーザーは不在時の訪問者だけでなく、就寝中等に家に近づいた人物の確認ができる。
【００２３】
以下、本発明の実施の形態について、図面を参照しながら説明する。なお、本実施の形態によって本発明が限定されるものではない。
【００２４】
（実施の形態１）
図１は、本発明の第１の実施の形態における給湯機の構成図である。
【００２５】
図１において、記憶部１１を備えた給湯機１がある。この給湯機１を遠隔操作する台所リモコン２と浴室リモコン３がある。これら台所リモコン２や浴室リモコン３と通話が出来る玄関インターホン４がある。玄関インターホン４には、訪問者が通話時に操作する操作部１０と訪問者を撮影する撮影部９がある。台所リモコン２と浴室リモコン３には、給湯機１を遠隔操作するときや玄関インターホン４と通話するときに操作する操作部６、操作部８と給湯機の制御情報の表示や玄関インターホン４で撮影した映像を表示する表示部５、表示部７がある。
【００２６】
以上のように構成された給湯機について、以下その動作、作用を説明する。
【００２７】
訪問者がユーザーを呼び出すため玄関インターホン４の操作部１０を操作すると、玄関インターホン４の撮影部９は訪問者を撮影し、映像データを給湯機１、台所リモコン２、浴室リモコン３に出力する。台所リモコン２と浴室リモコン３は映像データを受信すると表示部で表示する内容を玄関インターホン４の撮影部９で撮影された映像に切り替える。給湯機１の記憶部１１は、受信した映像データを記憶する。ユーザーが在宅しており、台所リモコン２や浴室リモコン３で訪問者の呼び出しに応答すれば、ユーザーは台所リモコン２又は浴室リモコン３の表示部５・７で訪問者を確認して通話することが出来る。ユーザーが不在や訪問者の呼び出しに気付かなかった場合は、ユーザーは帰宅後等に台所リモコン２や浴室リモコン３の操作部６、操作部８を操作することで給湯機１の記憶部１１で記憶されている訪問者の映像データを台所リモコン２や浴室リモコン３の表示部５、表示部７で確認できる。
【００２８】
以上のように、本発明の実施の形態においては、訪問者がユーザーを呼び出すため玄関インターホン４の操作部１０を操作すると、玄関インターホン４の撮影部９は訪問者を撮影し、撮影された映像データは給湯機１の記憶部１１で記憶されるため、ユーザーは帰宅後等に台所リモコンや浴室リモコンで不在時の訪問者の確認ができる。
【００２９】
（実施の形態２）
図２は、本発明の第２の実施の形態における給湯機の構成図である。
【００３０】
図２において、外部記憶装置１３と接続されたネットワーク端子１２を備えた給湯機１がある。この給湯機１を遠隔操作する台所リモコン２と浴室リモコン３がある。これら台所リモコン２や浴室リモコン３と通話が出来る玄関インターホン４がある。玄関インターホン４には、訪問者が通話時に操作する操作部１０と訪問者を撮影する撮影部９がある。台所リモコン２と浴室リモコン３には、給湯機１を遠隔操作するときや玄関インターホン４と通話するときに操作する操作部６、操作部８と給湯機の制御情報の表示や玄関インターホン４で撮影した映像を表示する表示部５、表示部７がある。本発明の実施の形態１と異なる点は、給湯機１に記憶部１１のかわりにネットワーク端子１２が設けられ、ネットワーク端子１２に外部記憶装置１３が接続されている点である。ここで外部記憶装置１３は例えばパソコン等のハードディスクなどが考えられる。
【００３１】
以上のように構成された給湯機について、以下その動作、作用を説明する。
【００３２】
訪問者がユーザーを呼び出すため玄関インターホン４の操作部１０を操作すると、玄関インターホン４の撮影部９は訪問者を撮影し、映像データを給湯機１、台所リモコン２、浴室リモコン３に出力する。台所リモコン２と浴室リモコン３は映像データを受信すると表示部で表示する内容を玄関インターホン４の撮影部９で撮影された映像に切り替える。給湯機１は受信した映像データをネットワーク端子１２を通じ外部記憶装置１３へ出力する。外部記憶装置１３は給湯機１より受信した映像データを記憶する。ユーザーが在宅しており、台所リモコン２や浴室リモコン３で訪問者の呼び出しに応答すれば、ユーザーは台所リモコン２又は浴室リモコン３の表示部５・７で訪問者を確認して通話することが出来る。ユーザーが不在や訪問者の呼び出しに気付かなかった場合は、ユーザーは帰宅後等に台所リモコン２や浴室リモコン３の操作部６、操作部８を操作することで給湯機１のネットワーク端子１２を通じ外部記憶装置１３で記憶されている訪問者の映像データを台所リモコン２や浴室リモコン３の表示部５、表示部７で確認できる。
【００３３】
以上のように、本発明の実施の形態においては、訪問者がユーザーを呼び出すため玄関インターホン４の操作部１０を操作すると、玄関インターホン４の撮影部９は訪問者を撮影し、撮影された映像データは外部記憶装置１３で記憶されるため、給湯機１に記憶部１１を設けなくても、安価でユーザーは帰宅後等に台所リモコンや浴室リモコンで不在時の訪問者の確認ができる。
【００３４】
（実施の形態３）
図３は、本発明の第３の実施の形態における給湯機の構成図である。
【００３５】
図３において、給湯機１がある。この給湯機１を遠隔操作する台所リモコン２と浴室リモコン３がある。これら台所リモコン２や浴室リモコン３と通話が出来る玄関インターホン４がある。玄関インターホン４には、訪問者が通話時に操作する操作部１０と訪問者を撮影する撮影部９がある。台所リモコン２と浴室リモコン３には、給湯機１を遠隔操作するときや玄関インターホン４と通話するときに操作する操作部６、操作部８と給湯機の制御情報の表示や玄関インターホン４で撮影した映像を表示する表示部５、表示部７がある。また台所リモコン２にはネットワーク端子１４があり、台所リモコン２はこのネットワーク端子１４を通じ、外部記憶装置１３と接続される。
【００３６】
第２の実施の形態と異なる点は、ネットワーク端子１４が給湯機１ではなく台所リモコン２に設けられ、このネットワーク端子１４を通じ外部記憶装置１３が接続されている点である。ここで外部記憶装置１３は例えばパソコン等のハードディスクなどが考えられる。また本実施の形態では台所リモコン２にネットワーク端子１４が設けられた例で説明しているが、浴室リモコン３に設けられても良い。
【００３７】
以上のように構成された給湯機について、以下その動作、作用を説明する。
【００３８】
訪問者がユーザーを呼び出すため玄関インターホン４の操作部１０を操作すると、玄関インターホン４の撮影部９は訪問者を撮影し、映像データを台所リモコン２、浴室リモコン３に出力する。台所リモコン２と浴室リモコン３は映像データを受信すると表示部で表示する内容を玄関インターホン４の撮影部９で撮影された映像に切り替える。台所リモコン２は受信した映像データをネットワーク端子１４を通じ外部記憶装置１３へ出力する。外部記憶装置１３は台所リモコン２より受信した映像データを記憶する。ユーザーが在宅しており、台所リモコン２や浴室リモコン３で訪問者の呼び出しに応答すれば、ユーザーは台所リモコン２又は浴室リモコン３の表示部５・７で訪問者を確認して通話することが出来る。ユーザーが不在や訪問者の呼び出しに気付かなかった場合は、ユーザーは帰宅後等に台所リモコン２や浴室リモコン３の操作部６、操作部８を操作することで台所リモコン２のネットワーク端子１４を通じ外部記憶装置１３で記憶されている訪問者の映像データを台所リモコン２や浴室リモコン３の表示部５、表示部７で確認できる。
【００３９】
以上のように、本発明の実施の形態においては、訪問者がユーザーを呼び出すため玄関インターホン４の操作部１０を操作すると、玄関インターホン４の撮影部９は訪問者を撮影し、撮影された映像データは外部記憶装置１３で記憶されるため、ユーザーは帰宅後等に台所リモコンや浴室リモコンで不在時の訪問者の確認ができる。加えて、外部記憶装置１３がパソコンのハードディスク等で屋内に設置される場合は、ネットワーク端子１４と外部記憶装置１３の接続の配線が屋内でできるため配線の施工が容易になり、また雨水等の浸入の可能性がないためネットワーク配線の故障に対する信頼性が向上できる。
【００４０】
（実施の形態４）
図４は、本発明の第４の実施の形態における給湯機の構成図である。
【００４１】
図４において、モニターテレビ１７、ビデオ１８と接続された映像出力端子１５を備えた給湯機１がある。この給湯機１を遠隔操作する台所リモコン２と浴室リモコン３がある。これら台所リモコン２や浴室リモコン３と通話が出来る玄関インターホン４がある。玄関インターホン４には、訪問者が通話時に操作する操作部１０と訪問者を撮影する撮影部９がある。台所リモコン２と浴室リモコン３には、給湯機１を遠隔操作するときや玄関インターホン４と通話するときに操作する操作部６、操作部８と給湯機の制御情報の表示や玄関インターホン４で撮影した映像を表示する表示部５、表示部７がある。
【００４２】
また、台所リモコン２には映像出力端子１６があり、給湯機１の映像出力端子１５のかわりに台所リモコン２の映像出力端子１６にモニターテレビ１７とビデオ１８を接続しても良い。
【００４３】
第２、第３の実施の形態と異なる点は、ネットワーク端子１２・１４のかわりに映像出力端子１５・１６を設け、モニターテレビ１７、ビデオ１８と接続している点である。
【００４４】
以上のように構成された給湯機について、以下その動作、作用を説明する。
【００４５】
訪問者がユーザーを呼び出すため玄関インターホン４の操作部１０を操作すると、玄関インターホン４の撮影部９は訪問者を撮影し、映像データを給湯機１、台所リモコン２、浴室リモコン３に出力する。台所リモコン２と浴室リモコン３は映像データを受信すると表示部で表示する内容を玄関インターホン４の撮影部９で撮影された映像に切り替える。給湯機１は受信した映像データをモニターテレビ１７やビデオ１８で再生・録画ができるビデオ信号に変換し、映像出力端子１５から出力する。モニターテレビ１７やビデオ１８は給湯機１より受信したビデオ信号を再生・録画する。ユーザーが在宅しており、台所リモコン２や浴室リモコン３で訪問者の呼び出しに応答すれば、ユーザーは台所リモコン２又は浴室リモコン３の表示部５・７で訪問者を確認して通話することが出来る。ユーザーが不在や訪問者の呼び出しに気付かなかった場合は、ユーザーは帰宅後等にビデオ１８で録画された映像をモニターテレビ１７で確認することができる。
【００４６】
以上のように、本発明の実施の形態においては、訪問者がユーザーを呼び出すため玄関インターホン４の操作部１０を操作すると、玄関インターホン４の撮影部９は訪問者を撮影し、撮影された映像データはビデオ信号に変換されてビデオ１８で録画されるため、ユーザーは帰宅後等にモニターテレビ１７とビデオ１８で不在時の訪問者の確認ができる。
【００４７】
（実施の形態５）
図５は、本発明の第５の実施の形態における給湯機の構成図である。
【００４８】
図５において、モニターテレビ１７、ビデオ１８と接続された映像出力端子１５と外部記憶装置１３と接続されたネットワーク端子１２と記憶部１１とを備えた給湯機１がある。ここで、記憶部１１と映像出力端子１５とネットワーク端子１２は、いずれか一つを設けておけば良い。すなわち記憶部１１を設けた給湯機でも良く、外部記憶装置１３と接続されたネットワーク端子１２を設けた給湯機でも良く、モニターテレビ１７とビデオ１８と接続された映像出力端子１５を設けた給湯機でも良い。この給湯機１を遠隔操作する台所リモコン２と浴室リモコン３がある。これら台所リモコン２や浴室リモコン３と通話が出来る玄関インターホン４がある。玄関インターホン４には、訪問者が通話時に操作する操作部１０と訪問者を撮影する撮影部９と人の接近を検知する人検知手段２１がある。台所リモコン２と浴室リモコン３には、給湯機１を遠隔操作するときや玄関インターホン４と通話するときに操作する操作部６、操作部８と給湯機の制御情報の表示や玄関インターホン４で撮影した映像を表示する表示部５、表示部７と防犯モードに設定するときに操作する防犯スイッチ１９，２０がある。
【００４９】
また、台所リモコン２にはネットワーク端子１４と映像出力端子１６があり、外部記憶装置１３やモニターテレビ１７とビデオ１８を使用する場合は給湯機１のネットワーク端子１２や映像出力端子１５のかわりに台所リモコン２のネットワーク端子１４や映像出力端子１６に外部記憶装置１３、モニターテレビ１７とビデオ１８を接続しても良い。
【００５０】
上記各実施の形態と異なる点は、台所リモコン２と浴室リモコン３に防犯スイッチ１９・２０を設け、玄関インターホンに人検知手段２１を設けた点である。
【００５１】
以上のように構成された給湯機について、以下その動作、作用を説明する。
【００５２】
訪問者がユーザーを呼び出すため玄関インターホン４の操作部１０を操作すると、玄関インターホン４の撮影部９は訪問者を撮影し、映像データを給湯機１、台所リモコン２、浴室リモコン３に出力する。台所リモコン２と浴室リモコン３は映像データを受信すると表示部で表示する内容を玄関インターホン４の撮影部９で撮影された映像に切り替える。給湯機１は、記憶部１１を設けている場合は記憶部１１に映像データを記憶し、ネットワーク端子１２に外部記憶装置１３を接続している場合は外部記憶装置１３に映像信号を出力し外部記憶装置１３で映像データを記憶し、映像出力端子１５にモニターテレビ１７とビデオ１８を接続している場合は受信した映像データをモニターテレビ１７やビデオ１８で再生・録画ができるビデオ信号に変換し、映像出力端子１５から出力しモニターテレビ１７やビデオ１８は給湯機１より受信したビデオ信号を再生・録画する。
【００５３】
ユーザーが在宅しており、台所リモコン２や浴室リモコン３で訪問者の呼び出しに応答すれば、ユーザーは台所リモコン２又は浴室リモコン３の表示部５・７で訪問者を確認して通話することが出来る。ユーザーが不在や訪問者の呼び出しに気付かなかった場合は、ユーザーは帰宅後等に台所リモコン２や浴室リモコン３の操作部６・８を操作することで給湯機１の記憶部１１や外部記憶装置１３で記憶されている訪問者の映像データを台所リモコン２や浴室リモコン３の表示部５、表示部７で確認でき、又はビデオ１８で録画された映像をモニターテレビ１７で確認することができる。
【００５４】
また、ユーザーが就寝時等に台所リモコン２や浴室リモコン３で防犯スイッチ１９・２０を押し、防犯モードに設定すると、玄関インターホン４に設けられた人検知手段２１が人の接近を検知する度に玄関インターホン４の撮影部９は接近者を撮影し、映像データを給湯機１、台所リモコン２、浴室リモコン３に出力する。給湯機１は、記憶部１１を設けている場合は記憶部１１に映像データを記憶し、ネットワーク端子１２に外部記憶装置１３を接続している場合は外部記憶装置１３に映像信号を出力し外部記憶装置１３で映像データを記憶し、映像出力端子１５にモニターテレビ１７とビデオ１８を接続している場合は受信した映像データをモニターテレビ１７やビデオ１８で再生・録画ができるビデオ信号に変換し、映像出力端子１５から出力しモニターテレビ１７やビデオ１８は給湯機１より受信したビデオ信号を再生・録画する。
【００５５】
また、台所リモコン２や浴室リモコン３は受信した映像データを表示部５・７で表示しても良い。ユーザーは起床後等に、台所リモコン２や浴室リモコン３の操作部６・８を操作することで給湯機１の記憶部１１や外部記憶装置１３で記憶されている接近者の映像データを台所リモコン２や浴室リモコン３の表示部５、表示部７で確認でき、又はビデオ１８で録画された映像をモニターテレビ１７で確認することができる。防犯モードは再度防犯スイッチ１９・２０を押すことで解除できる。
【００５６】
以上のように、本発明の実施の形態においては、訪問者がユーザーを呼び出すため玄関インターホン４の操作部１０を操作すると、玄関インターホン４の撮影部９は訪問者を撮影し、撮影された映像データは記憶部１１や外部記憶装置１３で記憶されたり、ビデオ信号に変換されてビデオ１８で録画されるため、ユーザーは帰宅後等に台所リモコン２や浴室リモコン３やモニターテレビ１７とビデオ１８で不在時の訪問者の確認ができる。
【００５７】
また、、防犯スイッチを押して防犯モードにすることで、玄関インターホン４の人検知手段２１が接近者を検知すると、玄関インターホン４の撮影部９は接近者を撮影し、撮影された映像データは記憶部１１や外部記憶装置１３で記憶されたり、ビデオ信号に変換されてビデオ１８で録画されるため、ユーザーは帰宅後等に台所リモコン２や浴室リモコン３やモニターテレビ１７とビデオ１８で接近者の確認ができ、防犯機能が付加できる。
【産業上の利用可能性】
【００５８】
以上のように、本発明にかかる給湯機は、ユーザーは帰宅後等に台所リモコンや浴室リモコンで不在時の訪問者の確認ができる。また低価格で給湯機を提供することができる。また配線作業の容易化と配線の信頼性を向上することができる。またモニターテレビとビデオで不在時の訪問者の確認ができる。また台所リモコンや浴室リモコンやモニターテレビとビデオで就寝時等の自宅への接近者の確認ができ防犯機能が付加できるため、給湯機以外に玄関インターホンと通話ができる各機器や端末等の用途にも適用できる。
【図面の簡単な説明】
【００５９】
【図１】本発明の実施の形態１における給湯機の構成図
【図２】本発明の実施の形態２における給湯機の構成図
【図３】本発明の実施の形態３における給湯機の構成図
【図４】本発明の実施の形態４における給湯機の構成図
【図５】本発明の実施の形態５における給湯機の構成図
【図６】従来の給湯機の構成図
【符号の説明】
【００６０】
１  給湯機
２  台所リモコン
３  浴室リモコン
４  玄関インターホン
５  台所リモコンの表示部
６  台所リモコンの操作部
７  風呂リモコンの表示部
８  風呂リモコンの操作部
９  撮影部
１０  玄関インターホンの操作部
１１  記憶部
１２  ネットワーク端子
１３  外部記憶装置
【図１】
2005265366.tif 000003
【図２】
2005265366.tif 000004
【図３】
2005265366.tif 000005
【図４】
2005265366.tif 000006
【図５】
2005265366.tif 000007
【図６】
2005265366.tif 000008